(57)【要約】本発明は、Ｘ線システム（２）を自動試験する方法及び装置に関する。Ｘ線システム（２）が設置された部屋（１）に通じるドア（５ａ、５ｂ）は、センサ（４ａ、４ｂ）によって監視される。更に、部屋（１）の状態は、ビデオカメラ（３）のような更に他のセンサによって監視されることができる。Ｘ線を使用する間のＸ線システム（２）の自動試験は、全てのドアが閉じていて且つ他のセンサが安全状態が放棄されたことを示さない限り及びこの場合のみに開始される。前記装置は、ファントムをビーム経路内に自動的に配置する機能をも含み得る。このような機能は、この場合、可塑性の箔に設けられたファントムを含んでもよい。
2005516706.tif 000002
【特許請求の範囲】
【請求項１】
Ｘ線を生成している間に撮像Ｘ線システムを自動試験する方法であって、
ａ）所定の安全状態が、前記Ｘ線システムのまわりの安全領域内でセンサによって監視され、
ｂ）前記安全状態が放棄されたことが検出された場合に、Ｘ線の生成が中断される、
ことを特徴とする方法。
【請求項２】
前記安全状態が、前記安全領域への少なくとも１つの入口の閉じた状態を含むことを特徴とする、請求項１に記載の方法。
【請求項３】
前記安全状態が、定義段階の間に観測されるセンサ信号のパターンにより定義されることを特徴とする、請求項１に記載の方法。
【請求項４】
前記安全状態の監視が、
−前記Ｘ線システムが設置された前記部屋に通じる全てのドアが、最後のドアを除いて閉じられ、
−前記最後のドアに関する起動信号は、前記最後のドアが依然として開いている間に開始し、前記最後のドアが閉じられる場合に終了する、
場合に開始することを特徴とする、請求項１に記載の方法。
【請求項５】
特に請求項１に記載のＸ線を生成している間に撮像Ｘ線システムを自動試験する方法であって、ファントムが、Ｘ線源とＸ線検出器との間の空間に自動的に挿入され、少なくとも１つの画像が、前記ファントムがビーム経路内に存在する間に取得されることを特徴とする方法。
【請求項６】
Ｘ線を生成している間に撮像Ｘ線システムを自動試験する装置であって、
ａ）前記Ｘ線システムのまわりの安全領域を監視する少なくとも１つのセンサと、
ｂ）前記センサ及び前記Ｘ線システムに結合され、センサ信号が、所定の安全状態が放棄されたことを示す場合に、Ｘ線の生成を中断するように構成される制御ユニットと、
を有する装置。
【請求項７】
前記センサが、
−入口の閉じた状態を検出するドア接点、
−赤外線信号、超音波信号及び／又はビデオ監視に基づいて動作する動き検出器、
−ガス検出器、特に二酸化炭素センサ、
−特に床の上に配置されてもよい圧力センサ、
−光障壁、
−音響センサ及び／又は
−前記Ｘ線システムのＸ線検出器
を含むことを特徴とする、請求項６に記載の装置。
【請求項８】
特に請求項６に記載のＸ線を生成している間に撮像Ｘ線システムを自動試験する装置であって、Ｘ線源と検出器との間の領域内に少なくとも１つのファントムを自動的に配置する装置を含む装置。
【請求項９】
前記ファントムが、可塑性のキャリア上に配置され、前記可塑性のキャリアが、前記Ｘ線源と前記Ｘ線検出器との間の領域内でガイドローラを介して移動されることを特徴とする、請求項８に記載の装置。
【請求項１０】
前記ファントムが、ピボット軸のまわりを回動可能であるように支えられることを特徴とする、請求項８に記載の装置。
【発明の詳細な説明】
【技術分野】
【０００１】
本発明は、Ｘ線を生成している間に撮像Ｘ線システムを自動試験する方法及び装置に関する。
【背景技術】
【０００２】
撮像Ｘ線システムは、医療分野及び材料の試験のような他の応用において幅広く使用されている。前記撮像Ｘ線システムは、Ｘ線を生成するＸ線源を含み、当該Ｘ線は、検査されるべき対象を照射し、後でＸ線検出器により検出される。
【０００３】
実際の撮像に関して決定的に重要であるこのようなＸ線システムのパラメータは、時間が経過するにつれてドリフトする傾向にある。一般に、このようなドリフトは、撮像システムの低下した性能を引き起こす。例えば、医用Ｘ線システムの画質が、所定の制限以下に低下した場合、前記Ｘ線システムは、病院スタッフにより要求されると技術者により試験されるだろう。このような試験は、利得画像及び他の較正画像の取得を含む。Ｘ線は、画像を取得するために生成されなければならないので、安全性の理由から、試験手順は、有資格者により間断なく監視されなければならない。これに関して、例えば、フラット・ダイナミックＸ線検出器（ＦＤＸＤ）の場合に、利得較正は、利得及びモードの組み合わせに対してほぼ２０分を要し、この全体の期間の間に、オペレータは、放射線事故を防ぎ、試験ファントムを交換するために存在しなくてはならないことに注意すべきである。将来の検出器の生成において、典型的には７つのモード及び４セットの利得を必要として、較正継続時間は、全体的に、数時間にも達する。試験中、しかしながら、時間及び労働が、直接関わるスタッフにより費やされるのみならず、コストも負担になり、Ｘ線システムが通常の仕事に対して使用されることができないという事実のために問題が生じる。これらの問題のため、システムの再較正が、現今では比較的稀に実行されるのみであり、これは、所定の画質の低下が大目に見られなければならないことを意味する。
【０００４】
Ｘ線システムの画質の試験を加速及び単純化するために、ＥＰ０８７４５３６Ａ１は、特別に構成されたファントムを提案している。ファントムは、試験目的のために、どのようにこれがＸ線システムにより撮像されるかを決定するためにＸ線源とＸ線検出器との間のビーム経路に挿入されることができる既知の形状及び構造の対象を意味すると理解されるべきである。ＥＰ０８７４５３６Ａ１において提案された前記ファントムは、特に、単一のＸ線画像における、解像度及びコントラストのような画質の所定の態様の測定を可能にするように構成される。しかしながら、これは、Ｘ線システムのより総合的な試験を可能にしない。
【発明の開示】
【発明が解決しようとする課題】
【０００５】
上記を考慮して、本発明の目的は、撮像Ｘ線システムを試験する方法及び装置であって、大幅により単純且つより経済的な試験を可能にする当該方法及び装置を提供することである。
【課題を解決するための手段】
【０００６】
この目的は、請求項１の特徴部分に開示されるような方法によって、請求項５の特徴部分に開示されるような方法によって、請求項６の特徴部分に開示されるような装置により、及び請求項８の特徴部分に開示されるような装置により達成される。有利な他の実施例は、従属請求項に開示される。
【０００７】
第１の態様によると、本発明は、Ｘ線を生成している間に撮像Ｘ線システムを自動試験する方法に関し、前記試験は、これ以降、自己試験、パラメータ・ドリフトを補償するための再較正、アルゴリズム又は欠陥の発見のための探索木の開始等を意味すると理解される。前記方法が実行される間、前記Ｘ線システムのまわりの安全領域内の所定の安全状態の維持は、少なくとも１つのセンサにより監視され、Ｘ線の生成は、前記安全状態が放棄される場合には中断される。
【０００８】
前記少なくとも１つのセンサによる自動的な監視のため、提案された前記方法は、試験が実行される間、前記Ｘ線システムの周りで安全状態が維持され、これにより人間は、生成された前記Ｘ線により危険にさらされることが起こりえないことを保証する。安全性のこのような自動的な監視は、技術者の間断ない存在を不要にするための前記Ｘ線システム全体の試験の自動化には欠くことができない。
【０００９】
好ましいバージョンによると、前記Ｘ線システムのまわりの安全領域に直接又は間接的に通じ、且つ定義ごとに開け閉めされることができる少なくとも１つのアクセスの閉じた状態が、前記安全状態の一部を形成する。前記安全領域は、この場合、特に、前記Ｘ線システムが設置された部屋として定められることができ、前記アクセスは、ドア、又は窓等により形成され得る。好ましくは、前記安全状態は、前記安全領域に直接又は間接的に通じる全てのアクセスの閉じた状態を必要とし、例えば、前記Ｘ線システムが設置された部屋の全てのドアの閉じた状態を必要とする。前記Ｘ線システムに通じるドアの監視は、前記方法が実行される間に、人が前記Ｘ線システムのまわりの領域に偶然に入ることができないことを保証し、そうでなければ、このような人は危険なＸ線にさらされるだろう。技術者の存在は、この場合、前記Ｘ線システムが設置された部屋に人がいないことが保証される限定された期間の開始段階に限定されることができる。
【００１０】
前記方法の更に他のバージョンによると、定義段階の間に決定又は観測されるセンサ信号のパターンは、前記Ｘ線システムの環境の安全状態を定義するために使用される。前記方法は、従って、その都度、センサ信号の異なるパターンが観測される異なる場所での使用（例えば、異なる病院）に柔軟に適合されることができる。技術者の監視下で、センサ信号の所定のパターンは、この場合、前記安全状態のものとして定義されることができ、この後、前記安全状態の維持の以降の監視は、自動的に行われることができる。
【００１１】
前記方法の更に他の好ましいバージョンにおいて、前記安全状態の監視は、第一に前記Ｘ線システムが設置された部屋に直接又は間接的に通じる全てのドア（人のための他のアクセスを含む）が、１つのドアを除き閉じられている（且つ閉じられたままである）場合、且つ第二に最後のドアに関連する起動信号が、前記最後のドアが依然として開いている間に開始し、前記最後のドアが閉じる場合に終了する場合に開始する。例えば、このような手順は、自動試験方法を開始したいと願う技術者が、この部屋に他の人がいないことを確認する間は最後のドアを除き、前記Ｘ線システムが設置された部屋の全てのアクセスドアを閉じることを可能にする。この状況が満たされた後、前記技術者は、例えば、前記最後のドアの外側に設けられた作動ボタンによって、前記最後のドアが依然として開いている間に信号を開始することができ、前記最後のドアが閉じられるまでこの信号を維持することができる。前記Ｘ線システムが設置された部屋の外側の前記作動ボタンの設備は、従って、前記技術者も、前記部屋を離れたことを保証する。
【００１２】
第２の態様によると、本発明は、Ｘ線を生成している間に撮像Ｘ線システムを自動試験する方法に関し、ここで、ファントムが、試験中にＸ線源とＸ線検出器との間の空間に自動的に挿入され、前記ファントムがビーム経路内に存在する間に、少なくとも１つの画像が取得される。好ましくは、これに加えて、前記ファントムが前記ビーム経路内に無い間に、少なくとも１つの画像が取得される。更に、照射中、前記ファントムは、前記Ｘ線源と前記Ｘ線検出器との間の前記ビーム経路内に自動的に移動されることもでき、これにより時間効果が、調査されることができる。
【００１３】
この種の方法は、好ましくは、上で述べられた種類の方法、即ち前記Ｘ線システムの環境の所定の安全状態のセンサに基づく監視、及び前記安全状態が放棄された場合の前記Ｘ線の自動的な中断と組み合わせて実行される。
【００１４】
前記ビーム経路内への前記ファントムの自動的な挿入は、オペレータが手で前記ファントムを交換又は除去する必要なく、様々な較正画像が形成されることを可能にする。全体の試験処理は、従って、例えば夜の間に、自動的に実行されることができる。更に、前記Ｘ線源と前記検出器との間の領域における前記ファントムの異なる位置又は移動は、前記ファントムが撮像領域内の異なる位置に配置されることができるので、画質の空間的に分割された検査を可能にする。これは、前記検出器における欠陥のある構成要素の診断及び位置測定を可能にし、これにより、欠陥の発見は、サービスマンの熱心な配備の前に実行されることができる。更に、前記試験方法の実行後、試験結果に基づいてメンテナンスが必要であるように見える場合に、このようなメンテナンスが能動的又は自動的に要求されることが可能である。
【００１５】
本発明は、Ｘ線を生成している間に撮像Ｘ線システムを自動試験する装置にも関し、当該装置は、以下の要素、即ち
ａ）前記Ｘ線システムのまわりの安全領域を監視する少なくとも１つのセンサと、
ｂ）前記センサ及び前記Ｘ線システムに結合され、前記センサ信号が所定の安全状態が放棄されたことを示す場合にＸ線の生成を中断するように構成される制御ユニットと、
を含む。
【００１６】
本発明は、好ましくは、作動要素を含み、これにより前記Ｘ線システムの試験は、開始及び／又は中断されることができる。前記装置は、本発明の前記第１態様による方法を実行するのに適し、これにより前記システムの自動試験は、達成されることができ、同時に安全性が保証される。
【００１７】
前記Ｘ線システムの環境を監視する前記センサは、特に、以下のセンサの１つ以上を含む。
−特にドアのようなアクセスの閉じた状態を検出するドア接点。
−前記Ｘ線システムの近くで行われる動きを検出し、これにより特に前記Ｘ線システムの近くにおける人の不適切な存在が検出されることができる動き検出器。このような動き検出器は、赤外線信号、超音波信号（例えば、超音波ドップラー効果を使用する間）及び／又は画像における変化の検出のために画像処理ソフトウェアにより解析されることができるビデオ信号に基づいて動作し得る。
−前記安全領域内の空気の変化が認識されることができるガス検出器。このような検出器は、特に、存在する人の呼吸によるＣＯ２の増加を検出する二酸化炭素センサであることができる。
−前記安全領域内に存在する人による接触を検出することができる圧力センサ。特に、床の上のマットに、踏まれた場合に信号を開始する負荷検出器が設けられることができる。
−前記ビーム経路内に存在する人による遮断を検出することができる光障壁。前記光障壁は、例えば、前記Ｘ線システムの近くに部屋を通して延在することができ、光源から検出器までの進路に反射面により複数回方向を変えられることができる。
更に、前記安全領域は、（主）Ｘ線の放射線領域（放射線円錐）に非常に狭く制限されることができ、この安全領域の境界は、光障壁の密度の濃いネットワークにより、又は光障壁表面により監視される。これらの境界の逸脱は、この場合、前記Ｘ線の即時のスイッチオフを生じ、これにより前記安全領域に侵入した対象は、もはや危険にさらされないだろう。
好ましくは、前記光障壁は、これの信号と背景光との間の信頼できる区別を可能にするために、例えば、３００Ｈｚの周波数で、パルスモードで動作する。
−例えば、監視システムが接続されたマイクロホンの形式の音響センサ。
−前記ビーム経路に侵入する対象が、前記Ｘ線画像の結果として生じる変化に基づいて認識される前記Ｘ線システムの前記Ｘ線検出器。このために、例えば、画像解析システムは、予測される画像からの如何なるずれをも検出することができ、且つこれに応答して前記Ｘ線のスイッチオフを生じることができる。
【００１８】
最後に、本発明は、Ｘ線を生成している間に撮像Ｘ線システムを自動試験する装置にも関し、この試験装置は、前記Ｘ線源と前記検出器との間の領域において少なくとも１つのファントムを自動的に配置する装置を含む。この種の装置は、少なくとも１つの画像が前記ファントムによって取得される本発明の前記第２の態様による記述された方法を実行するのに適している。
【００１９】
第１実施例によると、前記ファントムは、可塑性のキャリア、例えば箔又はワイヤ上に設けられ、前記キャリアは、前記Ｘ線源と前記Ｘ線検出器との間の領域において、ガイドローラを介して、移動される。ドライブローラの起動は、単純な仕方でこのような可塑性のキャリアの協調した移動を可能にし、これにより前記ファントムは、望まれた通りに前記検出器の前に配置されることができる。前記可塑性のキャリアは、複数のガイドローラを介して無限ループの形式で移動されることができるか、又は両端においてローラに巻きつけられ及び解かれることができる。
【００２０】
更に他の実施例によると、前記ファントムは、ピボット軸で回動可能であるように支えられ、これにより前記ファントムは、単純な回転運動により前記Ｘ線源と前記Ｘ線検出器との間の前記ビーム経路に移動され、又は異なって配置されることができる。
【００２１】
本発明は、図面を参照して例により以後、詳細に記述されるだろう。
【発明を実施するための最良の形態】
【００２２】
図１は、医用撮像Ｘ線システム２の実施例の概略的な表現であり、医用撮像Ｘ線システム２は、例えば、Ｘ線カテーテル試験室又はコンピュータ断層撮影装置であってもよい。この種のＸ線システムを時折試験することは必要であり、このような試験は、特に、パラメータ・ドリフトの補償のための再較正だけでなく、自己試験又は自動的な欠陥診断を含み得る。この種の試験は、病院スタッフ、患者又は他の人に対するリスク無しで実行されるべきであり、前記試験の継続時間は、典型的には数時間に達するので、前記試験は、オペレータによる不断の監視無しで実行されるべきである。
【００２３】
試験方法を自動化し、安全性を保証するために、本発明は、通常の動作に切り替えるために、必要であれば、如何なる時点にでも前記試験を中断することができ、更に、前記試験に必要な全ての動作、特に前記ビーム経路内へのファントムの配置を実行することができる装置を提案する。較正（例えば、利得較正）のためにＸ線を必要とするシステム構成要素を試験する自動的な方法は、動作コスト及びスタッフの必要性の減少にかなりの貢献をすることができ、同時に時間において安定な撮像性能を保証することができる。
【００２４】
おそらくイオン化放射線を生成する間のＸ線の試験タスクの自動化において直面する最も重要な問題は、人が、意図せずに及び偶然にＸ線にさらされることが起こりえないことを保証することにある。危険にさらされ得る人は、例えば、清掃スタッフ、検査を準備する医師、技術者及び／又は病院を通る途中若しくは検査に向かう途中の患者である。
【００２５】
これに関して、図１は、例によって、放射線事故の防止のための本発明による装置を示す。試験されるべきＸ線システム２は、２つのドア５ａ及び５ｂを介してアクセスされることができる部屋１に設置される。部屋１は、制御室６により隣接され、制御室６からＸ線システム２は制御されることができる。本発明によると、Ｘ線システム２の自動試験の前に、資格をもつ人間のオペレータは、安全状態が、Ｘ線システム２のまわりの安全領域内（即ち、部屋１内）に存在することを確かめる。この後、この安全状態は、前記安全状態の全ての関連した変化が、自動的に検出され、Ｘ線の生成の即時停止及び前記システムのスタンバイ状態へのリセットを自動的に生じる点で“維持”される。この動作は、３つのシステム構成要素によって本質的に達成される。
−Ｘ線システム２が設置された部屋１の全ての入口における監視センサ。図１に示された前記装置において、これらの監視センサは、ドア接点４ａ及び４ｂの形式で実現され、これらは、ドア５ａ及び５ｂが閉じているか否かを検出し、制御室６に知らせることができる。
−自動試験手順を開始する制御素子であって、例えば、制御室６における“較正可能”ボタン７の形式で実現され得る制御素子。
−ドア接点４ａ、４ｂのような適切なセンサに接続され、部屋１の隔離の破れ目を検出し且つこれに応じてＸ線システム２を停止するように構成された制御ユニット９。前記センサは、例えば、部屋１の画像における変化の検出を可能にする適切な画像解析ソフトウェアを持つ１つ以上のビデオカメラ３をも含んでもよい。更に、赤外線若しくはドップラー超音波動き検出器、ガス検出器、マイクロホン、又は光障壁等も、制御ユニット９に接続され得る（図示されていない）。更に、Ｘ線システム２の前記検出器は、Ｘ線画像における予想外の構造体の存在を検出する（比較的単純な）画像解析装置に結合されてもよい。例えば、前記部屋内にいる人の手が、活動中のＸ線システム２の前記ビーム経路に侵入しそうであれば検出されることができる。
【００２６】
図１に示される装置は、部屋１の全てのドア５ａ、５ｂが閉じられ、且つ制御室６の“較正可能”ボタン７が押される場合に、自己試験／較正モードに設定されることができる。試験放射線は、この場合、権利を与えられた医師、技術者又はＸ線検査若しくは較正を実行する権利を与えられた他の人による部屋１の目視検査の後に発射される。
【００２７】
もし図１に示された状況と対照的に、Ｘ線システム２の完全な目視検査を可能にする制御室６が無ければ、好ましくは、“較正可能”ボタン７は、各入口に設けられる。この構成において、前記医師又は技術者は、起動信号を生成するために前記ドアの閉鎖中にボタン７を押したままでなければならない。この起動信号は、第一に前記ボタンが押されているときに１つ以外の全ての入口が閉じられ、全体的な維持手順の間、閉じられたままであり、第二に前記ボタンが押されているときに前記ボタンに近接するドアが開かれ、前記ボタンが放されたときに閉じられる場合に、前記システムの前記制御ユニットにより正当であると考えられる。
【００２８】
前記起動信号に応答して、前記制御ユニットは、Ｘ線システム２が設置された部屋１の前記入口における全ての安全ポイントの状態を確認し始める。もし部屋１の“密閉”が適切であれば、存在する前記センサは、所定の時間期間の間、前記部屋の状態を監視し、これによりＸ線室の通常の障害のない安全な状態に関するセンサ信号のパターンを取得する。前記パターンは、一連のセンサの測定を含んでもよく、好ましくは、標準的な画像処理用のソフトウェアと連動する安価なビデオカメラ３からなるものが使用される。前記安全状態のセンサパターンが、取得され、一貫性及び時間における遅い変化に対して試験された後に、較正手順が開始される。
【００２９】
前記較正手順は、以下の条件の１つが満たされた場合に再び終了される。
１．前記“較正可能”ボタンの近くに配置された“較正不可能”ボタン８が押される。
２．密閉された部屋１のドア５ａ、５ｂの１つが開かれる。
３．前記制御ユニットが、接続されたセンサ３によって、密閉された部屋１における疑わしい活動を、例えば、動きにより生じた前記取得されたセンサパターンからのずれに基づいて検出する。
【００３０】
このような中断の場合、前記装置は、前記装置が画像取得に対して再び準備の整ったスタンバイ状態に戻る。
【００３１】
好ましくは、全ての入口５ａ、５ｂにおいて、人が前記部屋に入ることによる前記較正又は前記自己試験の意図しない中断が極めて稀であるために、前記Ｘ線の活動を示す警告信号が備えられる。
【００３２】
制御の介入の必要性を最小化するために、前記装置は、自己試験のために可能な限り多くの活動を自動的に実行することができるべきである。自動化された利得較正が、ＳＩＤ（ソース画像距離）及びコリメータ位置（もしこれが依然として自動化されていなければ）の初期化のみを必要とするのに対し、前記システムの動作性質の試験及び欠陥の発見のための探索木への入力は、前記検出器の近くに１つ以上のファントムを必要とする。以下、変調伝達関数（ＭＴＦ）及びＤＱＥ（検出量子効率）を試験するために試験ファントムを前記ビーム経路内に自動的に配置する様々な構成が、図２乃至８を参照して以下、詳細に記述されるだろう。
【００３３】
図２は、Ｘ線感受層１０を持つＸ線検出器の断面図であり、ファントム２３は、合成材料の箔１１上に備えられる。合成箔１１は、４つのガイドローラ２２によって感受層１０のまわりの無限ループにおいて案内され、図示された状況において、可塑性の鉛で作られたファントム２３は、前記検出器の下の標準位置に配置され、即ち、前記ビーム経路内ではない。試験が実行される場合、上側にファントム２３を持つ箔１１は、ローラ２２の少なくとも１つを駆動することにより感受層１０の前に移動されることができ、これにより前記ファントムは、前記Ｘ線源（図示されていない）から前記検出器までの前記ビーム経路内に配置される。
【００３４】
図３は、記述された前記装置の代替実施例の断面図であり、図２と対照的に、キャリア箔１１は、無限ループにおいて案内されるのではなく、両端において対応するローラ３２のまわりに巻き取られる。標準状態において、ファントム３３は、感受表面１０の側面に配置される。ファントム３３は、キャリア箔１１を１つのローラから他のローラ３２へ解くことにより前記検出器の表面の前に配置されることができる。図示された構成は、前記検出器の後から前記検出器まで容易なアクセスを提供する。
【００３５】
図４は、記述された前記装置の更に他の実施例を示し、ここで、ファントム４３及びキャリア１１は、一緒に、感受表面１０の前に配置されていない場合に一端の側面においてローラに巻き取られる。
【００３６】
図５は、図３の前記装置の更に他の実施例を示し、ここで、ファントム５３は、使用中でない場合に前記検出器の前面において感受表面１０に隣接する領域に配置される。この配置は、ファントム５３は、センサ表面１０の前の位置から移動されるためにキャリア箔１１のねじれを越える必要がないという利点を提供する。
【００３７】
図２乃至５に示された箔１１は、ワイヤリング及び冷却システムへの容易なアクセスを可能にするために前記検出器の全体の幅より小さな範囲を覆うことができる。図６は、平面図において、キャリア箔１１の可能な配置の３つの例を示す。バージョンａ）において、前記検出器表面１０のほぼ半分が箔１１により覆われ、バージョンｂ）において、前記検出器表面の一部が２つの箔により覆われ、バージョンｃ）において、全体的な検出器表面が覆われ、後者のバージョンは、前記検出器のワイヤリングに対する横のアクセスを必要とする。
【００３８】
図７は、ワイヤ７３により形成されるファントムの代替実施例を示す。ワイヤ７３の端部は、キャリアワイヤ７１に取り付けられ、前記キャリアワイヤは、図２の箔１１のように、無限ループにおける感受表面１０のまわりで案内される。ワイヤ７３は、従って、表面１０の前にオプションで配置されることができるか、又は縦軸のまわりでローラの少なくとも１つ７２を回転することにより前記ビーム経路から移動されることができる。
【００３９】
図８は、自動的に移動可能なファントムの更に他の実施例を示す。この図は、Ｘ線検出器の感受表面１０の平面図である。前記標準位置（基準８３）におけるストリップ様（strip-like）ファントムは、感受表面１０の近くで点８１のまわりを回動可能であるように構成される。必要であれば、前記ストリップ様ファントムは、図面の面に垂直に延在するピボット軸のまわりを自動的に回転させられることができ、この故に、放射線源（図示されていない）と感受表面１０（位置８３‘）との間のビーム経路に挿入されることができる。
【００４０】
前記図面を参照して記述された前記装置は、病院スタッフ、患者又は他の人を危険にさらすことなく、且つ同時に最小限の人間の監視のみを必要として、例えば、利得設定のようなパラメータの自動的な適合を可能にする。自動的なＸ線較正は、全ての人員が不在の夜の間に実行されることすら可能であり、従って、メンテナンスのコストを減少し、時間の経過において安定である撮像能力を保証する。
【００４１】
本発明は、例えば、欠陥のあるワイヤリング、トランジスタ若しくはラインドライバ、欠陥のあるＡＤ変換器チップ、シンチレータ層の腐食又は欠陥のあるＸ線管等により生じる欠陥のあるピクセル、行又は列のような前記Ｘ線システムの構成要素の様々な欠陥の純粋に画像に基づく検出をも可能にする。
【図面の簡単な説明】
【００４２】
【図１】本発明による方法によって監視されるＸ線システムの付近の概略的な表現である。
【図２】無限ループの形式で移動される可塑性の箔に設けられたファントムの第１実施例を示す。
【図３】可塑性の箔に設けられたファントムの第２実施例であって、前記箔が、端部においてローラに巻きつけられ、ファントムを横の位置に移動することが可能である当該第２実施例を示す。
【図４】可塑性の箔に設けられたファントムの第３実施例であって、前記ファントムを持つ前記箔が、端部においてローラに巻きつけられる当該第３実施例を示す。
【図５】可塑性の箔に設けられたファントムの第４実施例であって、前記箔が、端部においてローラに巻きつけられ、前記検出器に隣接する非感受性領域に前記ファントムを配置することができる当該第４実施例を示す。
【図６ａ】図２乃至５のファントムの様々な可能な構成を平面図で示す。
【図６ｂ】図２乃至５のファントムの様々な可能な構成を平面図で示す。
【図６ｃ】図２乃至５のファントムの様々な可能な構成を平面図で示す。
【図７】ワイヤにより形成されたファントムを持つ第５実施例の側面図及び平面図を示す。
【図８】Ｘ線検出器の縁で回動可能であるように構成されたファントムを示す。
【図１】
2005516706.tif 000003
【図２】
2005516706.tif 000004
【図３】
2005516706.tif 000005
【図４】
2005516706.tif 000006
【図５】
2005516706.tif 000007
【図６ａ】
2005516706.tif 000008
【図６ｂ】
2005516706.tif 000009
【図６ｃ】
2005516706.tif 000010
【図７】
2005516706.tif 000011
【図８】
2005516706.tif 000012
【国際調査報告】
2005516706.tif 000013
2005516706.tif 000014
2005516706.tif 000015